(57)【要約】  本技術は、外力に対するディスプレイの信頼性を向上させることができるようにする情報表示装置に関する。情報表示装置は、所定の動作モードにおいて時刻情報を表示するケース部と、腕に装着するためのバンド部とを有し、ケース部とバンド部の内部に、１枚の薄型ディスプレイを有する。バンド部の内部では、薄型ディスプレイ、金属シート、及び、樹脂シートが積層されている。本技術は、例えば、情報表示装置等に適用できる。
2018193879.tif 000002
【特許請求の範囲】
【請求項１】
所定の動作モードにおいて時刻情報を表示する時刻情報提示部と、腕に装着するためのバンド部とを有し、
前記時刻情報提示部と前記バンド部の内部に、１枚の薄型ディスプレイを有し、
前記バンド部の内部では、前記薄型ディスプレイ、金属シート、及び、樹脂シートが積層されている
情報表示装置。
【請求項２】
前記金属シートの材料は、ステンレスである
請求項１に記載の情報表示装置。
【請求項３】
前記金属シートの厚みは、0.03乃至0.08mmの範囲である
請求項１に記載の情報表示装置。
【請求項４】
前記樹脂シートの材料は、ポリエチレンテレフタレートである
請求項１に記載の情報表示装置。
【請求項５】
前記樹脂シートの厚みは、0.05乃至0.20mmの範囲である
請求項１に記載の情報表示装置。
【請求項６】
前記バンド部は、ベース部とカバー部とで構成され、
前記ベース部は、積層された前記薄型ディスプレイ、金属シート、及び、樹脂シートの側面と底面を覆い、
前記カバー部は、前記薄型ディスプレイの表示面である上面を覆い、
積層された前記薄型ディスプレイ、金属シート、及び、樹脂シートの側面を覆う前記ベース部の上面と、前記カバー部の底面が接合されている
請求項１に記載の情報表示装置。
【請求項７】
前記ベース部の材料は、硬度が高いエラストマー素材と、硬度が低いエラストマー素材とを所定の配合比で配合した材料である
請求項１に記載の情報表示装置。
【請求項８】
前記エラストマー素材は、熱可塑性のポリウレタンである
請求項７に記載の情報表示装置。
【請求項９】
前記薄型ディスプレイは、前記バンド部の中立点に配置されている
請求項１に記載の情報表示装置。
【請求項１０】
前記バンド部は、前記時刻情報提示部との接続部分の近傍に、金属の補強板を備える
請求項１に記載の情報表示装置。
【請求項１１】
前記情報表示装置の移動を検出する検出部と、
前記薄型ディスプレイの表示を制御する表示制御部と
を備え、
前記表示制御部は、前記情報表示装置の移動が所定期間以上検出されない場合、前記薄型ディスプレイの表示更新を停止する
請求項１に記載の情報表示装置。
【請求項１２】
前記薄型ディスプレイは、電子ペーパである
請求項１に記載の情報表示装置。
【請求項１３】
前記薄型ディスプレイは、有機ELディスプレイである
請求項１に記載の情報表示装置。
【請求項１４】
前記薄型ディスプレイは、液晶ディスプレイである
請求項１に記載の情報表示装置。
【発明の詳細な説明】
【技術分野】
【０００１】
本技術は、情報表示装置に関し、特に、外力に対するディスプレイの信頼性を向上させることができるようにした情報表示装置に関する。
【背景技術】
【０００２】
本出願人は、極薄型のフィルム状で、フレキシブル性に優れる薄型ディスプレイを時刻情報提示部とバンド部に用いた腕時計タイプの情報表示装置を先に提案している（例えば、特許文献１参照）。
【先行技術文献】
【特許文献】
【０００３】
【特許文献１】国際公開第２０１６／０３５５７１号
【発明の概要】
【発明が解決しようとする課題】
【０００４】
先に提案した情報表示装置において、薄型ディスプレイを高精細として、回路配線を微細化した場合、落下時の衝撃など、所定の外力が加えられたときに、表示制御回路にダメージを与え、表示不良になることが心配される。【０００５】
本技術は、このような状況に鑑みてなされたものであり、外力に対するディスプレイの信頼性を向上させることができるようにするものである。
【課題を解決するための手段】
【０００６】
本技術の一側面の情報表示装置は、所定の動作モードにおいて時刻情報を表示する時刻情報提示部と、腕に装着するためのバンド部とを有し、前記時刻情報提示部と前記バンド部の内部に、１枚の薄型ディスプレイを有し、前記バンド部の内部では、前記薄型ディスプレイ、金属シート、及び、樹脂シートが積層されている。【０００７】
本技術の一側面においては、所定の動作モードにおいて時刻情報を表示する時刻情報提示部と、腕に装着するためのバンド部の内部に、１枚の薄型ディスプレイが設けられ、前記バンド部の内部では、前記薄型ディスプレイ、金属シート、及び、樹脂シートが積層されて配置されている。【０００８】
情報表示装置は、独立した装置であっても良いし、１つの装置を構成している内部ブロックであっても良い。
【発明の効果】
【０００９】
本技術の一側面によれば、外力に対するディスプレイの信頼性を向上させることができる。【００１０】
なお、ここに記載された効果は必ずしも限定されるものではなく、本開示中に記載されたいずれかの効果であってもよい。
【図面の簡単な説明】
【００１１】
【図１】本技術を適用した情報表示装置の一実施の形態の外観構成例を示す図である。
【図２】表示部で表示可能な６種類のデザインパターンの例を示す図である。
【図３】バンド部の長手方向に垂直な方向の断面図である。
【図４】バンド部の中立点を説明する図である。
【図５】バンド部とケース部との接続部分の分解斜視図である。
【図６】バンド部とケース部との接続部分の側面図である。
【図７】情報表示装置の表示制御に関する制御ブロック図である。
【図８】動作モード切替え処理を説明するフローチャートである。
【図９】表示部に所定の情報を表示する情報表示装置の例を示す図である。
【発明を実施するための形態】
【００１２】
以下、本技術を実施するための形態（以下、実施の形態という）について説明する。なお、説明は以下の順序で行う。
１．情報表示装置の外観構成例
２．表示部のデザインパターン例
３．バンド部の断面図
４．バンド部とケース部の接続部
５．表示制御ブロック図
６．表示更新処理
７．その他の情報表示例
【００１３】
＜１．情報表示装置の外観構成例＞
図１は、本技術を適用した情報表示装置の一実施の形態の外観構成例を示す斜視図と側面図である。
【００１４】
情報表示装置１は、腕（手首）に装着して使用される腕時計タイプの外形形状を有し、少なくとも時刻情報を表示可能なウエアラブルデバイスである。
【００１５】
情報表示装置１は、所定の動作モードにおいて時刻情報を表示する時刻情報提示部としてのケース部１１と、腕に装着するためのバンド部１２とで構成される。バンド部１２には、親側のバンド部１２Aと、剣先側のバンド部１２Bとがあり、それらを特に区別する必要がない場合には、単にバンド部１２と称する。親側のバンド部１２Aと剣先側のバンド部１２Bは、バックル１３で接続されている。
【００１６】
ケース部１１は、表示部１４Aを備え、バンド部１２も、表示部１４Bを備える。表示部１４Aと１４Bは、１枚のシート状の薄型ディスプレイで構成され、例えば、本実施の形態では、薄型ディスプレイは、電子ペーパやEPDとも呼ばれる電気泳動型ディスプレイ（Electrophoretic Display）とされる。表示部１４Aと１４Bを含む表示領域全体を、表示部１４と称する。
【００１７】
ケース部１１の表示部１４Aの上面は、不図示のガラスカバーで覆われており、ケース部１１の側面には、操作部としてのプッシュボタン１５が設けられている。
【００１８】
バンド部１２は、腕に接する底面側のベース部２１と、表示部１４Bの表示面側のカバー部２２とで構成される。
【００１９】
ケース部１１は、例えば、ステンレス等の金属材料で形成された剛体である。バンド部１２のベース部２１は、例えば、ゴムまたは熱可塑性エラストマー（TPE）を含むエラストマー素材で形成された弾性体である。カバー部２２は、例えば、シリコン等で形成された弾性体である。
【００２０】
ベース部２１は、硬度が高いエラストマー素材と、硬度が低いエラストマー素材とを所定の配合比で配合することで、落下時等の衝撃を吸収する適度の弾力性を有する。エラストマー素材としては、例えば、熱可塑性のポリウレタンを用いることができ、硬度が低いエラストマー素材は、損失係数ｔａｎδが０．５以上となるような所定の配合比で、減衰剤または耐衝撃剤として、配合される。硬度が低いエラストマー素材としては、例えば、カーボネート系の熱可塑性のポリウレタンを用いることができ、この場合の配合比は、例えば、２０％以下とすることができる。
【００２１】
１枚のシート状の電気泳動型ディスプレイで構成されている表示部１４は、行列状に規則的に配列されたセグメントを、TFT(Thin Film Transistor）で個別にオンオフ制御するアクティブマトリックス駆動により、所定のデザインパターンを画像として表示する。
【００２２】
＜２．表示部のデザインパターン例＞
図２は、アクティブマトリックス駆動により表示部１４で表示可能な６種類のデザインパターンの例を示している。
【００２３】
図２では、ケース部１１の盤面に表示されている「６」の数字が時間（６時）を表し、３時の方向の目盛付近に表示された針が分針を表す。したがって、図２で示される各表示パターンは、６時１５分の時刻を表している。バンド部１２には、柄模様のデザインパターンが画像として表示されている。
【００２４】
なお、図２では符号が省略されている。また、図２では、ケース部１１とバンド部１２の外縁部の色が黒色である場合の例を示している。
【００２５】
図２のA及び図２のBは、バンド部１２がワニ革調のデザインの表示パターンの例である。
【００２６】
図２のCは、バンド部１２がステッチ調の革バンドを模したデザインの表示パターンの例である。
【００２７】
図２のDは、バンド部１２が金属製のブレスレットを模したデザインの表示パターンの例である。
【００２８】
図２のE及び図２のFは、バンド部１２が無地の革バンドを模したデザインの表示パターンの例である。
【００２９】
図２のA乃至図２のFに示した表示パターンはほんの一例であり、アクティブマトリックス駆動により、多種多様な表示パターンを表示することが可能である。
【００３０】
＜３．バンド部の断面図＞
図３は、バンド部１２の長手方向に垂直な方向の断面図である。
【００３１】
図１を参照して説明したように、バンド部１２は、底面側のベース部２１と、表示面側のカバー部２２とで構成される。
【００３２】
凹形状（コの字状）のベース部２１と上面のカバー部２２とで囲まれた内側に、薄型ディスプレイ５０、金属シート５１、及び、樹脂シート５２が積層されて配置されている。ベース部２１は、積層された薄型ディスプレイ５０、金属シート５１、及び、樹脂シート５２の側面と底面を覆い、カバー部２２は、薄型ディスプレイ５０の表示面である上面を覆っている。積層された薄型ディスプレイ５０、金属シート５１、及び、樹脂シート５２の側面を覆うベース部２１の上面と、カバー部２２の底面が、接着シート６０で接合されている。これにより、湿気の進入を防いで防湿性を向上させるとともに、デザイン性を向上させている。
【００３３】
シリコン等で形成されたカバー部２２は、薄型ディスプレイ５０に対応する表示領域２２Aとベゼル領域（外縁領域）２２Bとで色が異なる構成とされている。表示領域２２Aの色は、薄型ディスプレイ５０の表示が視認できるように透明とされているのに対して、ベゼル領域２２Bの色は、ベース部２１の色と同色とされている。
【００３４】
薄型ディスプレイ５０には、上述したように電気泳動型ディスプレイが採用されている。電気泳動型ディスプレイとしての薄型ディスプレイ５０は、白色粒子、黒色粒子等の単一もしくは複数の粒子を含むマイクロカプセルが充填されたマイクロカプセル層であるインク部６１と、インク部６１をセグメント単位で駆動するTFTが行列状に配置されたTFT部（配線回路層）６２の積層構造で構成される。
【００３５】
薄型ディスプレイ５０の下の金属シート５１は、例えば、SUS304（ステンレス304）等で構成される。金属シート５１の材料は、その他、アルミニウムや銅、チタンなどでもよい。金属シート５１下の樹脂シート５２は、例えば、PET（ポリエチレンテレフタレート）で構成される。樹脂シート５２の材料は、その他、ポリカーボネート、ポリプロピレン等でもよい。
【００３６】
TFT部６２と金属シート５１は、接着シートで接合されており、金属シート５１と樹脂シート５２も、接着シートで接合されている。
【００３７】
このように、薄型ディスプレイ５０の直下に、極薄の金属シート５１を接合することにより、バンド部１２が屈曲したときの薄型ディスプレイ５０の伸びや歪みによるTFT部６２のTFTの破壊や配線パターンの断線の発生頻度を減少させることができる。金属シート５１の厚みとしては、0.03乃至0.08mmの範囲が好適であり、本実施の形態では、例えば、0.05mmとされる。
【００３８】
また、金属シート５１の直下に、樹脂シート５２を接合することにより、落下時などにおける薄型ディスプレイ５０に対する衝撃を吸収することができる。また、樹脂シート５２は、低コストで総厚みを微調整する役割も果たす。樹脂シート５２の厚みとしては、0.05乃至0.20mmの範囲が好適であり、本実施の形態では、例えば、0.125mmとされる。インク部６１の厚みは、例えば、0.05乃至0.20mm程度とされ、TFT部６２の厚みは、0.02乃至0.15mm程度とされている。
【００３９】
さらに、図３に示されるように、薄型ディスプレイ５０は、バンド部１２全体における上層側の厚み７１と、下層側の厚み７２とが略同一の厚みとなるように形成されており、図４に示されるように、バンド部１２が屈曲されたとき、装着される腕側（底面側）の圧縮応力と、外側（上面側）の引張応力のどちらの応力もかからないバンド部１２の中立点（中立面）となるように配置されている。これにより、バンド部１２が屈曲されたときに生じる歪みを最小に抑えることができ、TFT部６２のTFTの破壊や配線パターンの断線に対する耐性を高めることができる。
【００４０】
＜４．バンド部とケース部の接続部＞
図５は、バンド部１２の一部であるベース部２１とケース部１１との接続部分の分解斜視図である。
【００４１】
バンド部１２のベース部２１がケース部１１に接続されており、その接続部分に隣接するベース部２１の上に、金属の補強板８１が配置されている。図３に示した、薄型ディスプレイ５０、金属シート５１、及び、樹脂シート５２の積層構造は、この補強板８１の上に配置される。
【００４２】
図６は、ケース部１１、ベース部２１、及び、補強板８１の側面図である。
【００４３】
ベース部２１と補強板８１の上に、樹脂シート５２、金属シート５１、及び、薄型ディスプレイ５０が、図３で示した積層順で配置された後、カバー部２２が配置され、覆われる。
【００４４】
例えば、情報表示装置１を落下したときなど、バンド部１２が大きく屈曲した場合に、バンド部１２が固定されているケース部１１に近い部分に大きな応力が集中しやすい。バンド部１２とケース部１１の接続部分の近傍に、金属の補強板８１を配置したことにより、バンド部１２とケース部１１の接続部分近傍に大きな応力がかかった場合でも、バンド部１２の屈曲を所定の範囲内に抑えることができ、TFT部６２のTFTの破壊や配線パターンの断線の発生頻度を減少させることができる。
【００４５】
以上のように、本技術を適用した情報表示装置１によれば、ベース部２１とカバー部２２とで囲まれた内側に、薄型ディスプレイ５０、金属シート５１、及び、樹脂シート５２を積層して配置したことにより、薄型ディスプレイ５０の伸びや歪みによるTFT部６２のTFTの破壊や配線パターンの断線の発生頻度を減少させることができる。
【００４６】
また、バンド部１２とケース部１１の接続部分の近傍に、金属の補強板８１を配置したことにより、バンド部１２が大きく屈曲した場合の、ケース部１１に近い部分のバンド部１２の屈曲を所定の範囲内に抑えることができ、TFT部６２のTFTの破壊や配線パターンの断線の発生頻度を減少させることができる。
【００４７】
さらに、硬度が高いエラストマー素材と、硬度が低いエラストマー素材とを所定の配合比で配合することで、ベース部２１に適度の弾力性を持たせることができ、落下時等の衝撃を吸収することができる。
【００４８】
これにより、情報表示装置１において、外力に対するディスプレイの信頼性を向上させることができる。
【００４９】
＜５．表示制御ブロック図＞
図７は、情報表示装置１の表示制御に関する制御ブロック図を示している。
【００５０】
情報表示装置１は、表示部１４と、それを制御する制御部１００を有する。
【００５１】
表示部１４は、薄型ディスプレイ５０を備え、制御部１００からの制御に基づき、所定の表示を行う。本実施の形態では、薄型ディスプレイ５０は、電子ペーパやEPDとも呼ばれる電気泳動型ディスプレイで構成されている。
【００５２】
なお、薄型ディスプレイ５０として電子ペーパを採用した場合、電子ペーパの表示方式として、上述したマイクロカプセル方式に限定される必要はなく、電気泳動型以外の他の方式によるものでもよい。
【００５３】
また、薄型ディスプレイ５０として、例えば、有機EL(Electro Luminescence）ディスプレイや液晶ディスプレイなど、フレキシブル性を備えるその他の極薄型のディスプレイを採用してもよい。
【００５４】
制御部１００は、記憶部１１１、発振子１１２、通信部１１３、加速度センサ１１４、電源供給部１１５、プッシュSW１１６、コントローラ１１７、及び、駆動部１１８を有する。
【００５５】
記憶部１１１は、例えば、EEPROM(Elect rically and Erasable Programmable Read Only Memory）などの不揮発性のメモリで構成され、各種のプログラムや、制御に必要な各種のデータを記憶する。
【００５６】
例えば、記憶部１１１は、薄型ディスプレイ５０の表示を制御するためのプログラム、発振子１１２からのクロック信号に基づく時刻制御のプログラム、通信部１１３を介して他の通信装置と通信を行うプログラム、加速度センサ１１４からのセンサ信号に基づく動作制御のプログラムなどを記憶する。表示部１４の表示を制御するためのプログラムには、図８を参照して後述する、表示部１４の時刻表示を休止する省電力制御プログラムなども含まれる。
【００５７】
記憶部１１１に記憶されているプログラムやデータは、必要に応じてコントローラ１１７に読み出される。また、記憶部１１１は、情報表示装置１に対して着脱可能に構成することができる。あるいはまた、記憶部１１１は、コントローラ１１７の一部として組み込まれていてもよい。
【００５８】
発振子１１２は、例えば、水晶発振子またはセラミック発振子などで構成され、時刻情報の基となるクロック信号を生成し、コントローラ１１７に供給する。
【００５９】
通信部１１３は、スマートフォンなどの他の通信装置との間で、例えば、NFC(Near Field Communication）通信、赤外線通信、Bluetooth（登録商標）などによる無線通信を行う通信デバイスである。この場合、通信部１１３は、他の通信装置と無線通信を行い、他の通信装置から提供されるデータを取得して、コントローラ１１７に供給する。
【００６０】
また、通信部１１３は、インターネット、LAN(Local Area Network）、WAN(Wide Area Network）などのネットワークに接続する通信デバイスであってもよい。この場合、通信部１１３は、ネットワークを介してサーバ装置などの他の通信装置に接続し、他の通信装置から提供されるデータを取得して、コントローラ１１７に供給する。すなわち、本実施の形態において、通信部１１３が行う無線通信の方式は限定されず、任意の方式を採用することができる。
【００６１】
例えば、通信部１１３は、他の通信装置から、表示部１４に表示させる画像に対応するデザインデータを受信し、受信したデザインデータをコントローラ１１７に供給する。コントローラ１１７は、通信部１１３から取得したデザインデータを記憶部１１１に記憶させる。
【００６２】
従って、ユーザは、予め記憶部１１１に記憶されているデザインデータとは異なるデザインデータを、通信部１１３を介して情報表示装置１に取得（ダウンロード）することができる。これにより、情報表示装置１の表示パターンを、予め用意された表示パターンとは異なる表示パターンに着せ替えることが可能となる。
【００６３】
加速度センサ１１４は、X軸、Y軸、Z軸の３軸の加速度を検出する慣性センサであり、検出結果をコントローラ１１７に供給する。加速度センサ１１４は、情報表示装置１の移動を検出する。
【００６４】
電源供給部１１５は、安定化電源１３１、バッテリ１３２、及び残電圧検出部１３３を有し、バッテリ１３２から得られる電源電圧を安定化電源１３１により一定電圧に制御して、電源を必要とする装置内の各部に供給する。残電圧検出部１３３は、バッテリ１３２の残電圧を検出し、バッテリ１３２の電池容量が一定レベル以下になった場合に、その旨の信号をコントローラ１１７に供給する。なお、外部から電源供給を受けるための電源端子を情報表示装置１に設け、バッテリ１３２を充電する充電機能を情報表示装置１に持たせてもよい。
【００６５】
プッシュSW（スイッチ）１１６は、ユーザによるプッシュボタン１５（図１）の操作を検出し、電気信号としてコントローラ１１７に出力する。
【００６６】
コントローラ１１７は、例えば、マイクロコンピュータ、CPU（Central Processing Unit）などで構成され、記憶部１１１から読み出した各種のプログラムに基づいて、薄型ディスプレイ５０の表示を制御する表示制御部として動作する。
【００６７】
具体的には、例えば、コントローラ１１７は、発振子１１２から供給されるクロック信号に基づいて、薄型ディスプレイ５０の時刻情報を更新する制御信号を駆動部１１８に供給する。また例えば、コントローラ１１７は、加速度センサ１１４の検出結果に基づいて、情報表示装置１が所定の状態となったときに、薄型ディスプレイ５０の表示更新を休止する制御信号を駆動部１１８に供給する。
【００６８】
駆動部１１８は、例えば、薄型ディスプレイ５０を駆動する駆動ICにより構成され、コントローラ１１７からの制御信号に基づき、薄型ディスプレイ５０を駆動する。駆動部１１８は、不図示のタイミングコントローラからのタイミング制御信号に従って、薄型ディスプレイ５０を駆動する。薄型ディスプレイ５０としての電気泳動型ディスプレイは、行列状に２次元配置された複数のセグメントを有し、駆動部１１８は、セグメントに１対１に設けられたTFTを制御することで、表示をセグメント単位で制御する。薄型ディスプレイ５０と駆動部１１８は、例えば、FPC（Flexible printed circuits）１１９で接続されている。
【００６９】
以上のように構成される情報表示装置１は、表示部１４に時刻情報を表示させる際の動作モードとして、１分ごとに時刻が更新される度に分単位に表示を更新する通常モードと、ユーザが情報表示装置１を装着していないと思われるときに表示更新を休止する休止モードとを備える。
【００７０】
＜６．表示更新処理＞
図８のフローチャートを参照して、情報表示装置１が、通常モードと休止モードの動作モードを切り替える動作モード切替え処理のフローチャートである。
【００７１】
初めに、ステップＳ１１において、コントローラ１１７は、タイマーのカウントをゼロから開始する。
【００７２】
ステップＳ１２において、コントローラ１１７は、加速度センサ１１４から供給されるセンサ検出結果とプッシュSW１１６の検出結果とに基づいて、情報表示装置１の移動及び操作がないかを判定する。すなわち、ユーザが情報表示装置１を装着し、使用している場合には、腕の動きに応じて、加速度センサ１１４のセンサ信号が検出されたり、プッシュボタン１５（図１）の操作に応じて、プッシュSW１１６の検出信号がコントローラ１１７に供給される。逆に、それらの信号が一定期間以上コントローラ１１７に供給されない状態は、情報表示装置１が、あるところに置かれた状態でユーザが情報表示装置１を使用していないことが推定される。
【００７３】
ステップＳ１２で、情報表示装置１の移動及び操作がないと判定された場合、処理はステップＳ１３に進み、コントローラ１１７は、タイマーのカウントが予め決定した所定時間以上であるかを判定する。
【００７４】
ステップＳ１３で、タイマーのカウントが所定時間以上ではない（所定時間未満である）と判定された場合、処理はステップＳ１２に戻る。
【００７５】
一方、ステップＳ１３で、タイマーのカウントが所定時間以上であると判定された場合、すわなち、ユーザが情報表示装置１を使用していない状態が推定される場合、処理はステップＳ１４に進み、コントローラ１１７は、動作モードを休止モードに設定し、分単位で時刻が更新される度に時刻情報を更新する表示更新を停止する。動作モードが既に休止モードである場合には、休止モードが継続される。ステップＳ１４の後、処理はステップＳ１２に戻る。
【００７６】
一方、ステップＳ１２で、情報表示装置１の移動または操作があると判定された場合、処理はステップＳ１５に進み、コントローラ１１７は、動作モードを通常モードに設定し、分単位で時刻が更新される度に時刻情報を更新する表示更新を開始する。動作モードが既に通常モードである場合には、通常モードが継続される。ステップＳ１５の後、処理はステップＳ１１に戻る。
【００７７】
以上のように、コントローラ１１７は、加速度センサ１１４とプッシュSW１１６の検出結果に基づいて、ユーザが情報表示装置１を使用中であるか否かを推定し、使用していないと推定される状態では、表示更新を行わない。一般に、電子ペーパは、表示の更新回数（描画回数）によって寿命が決定するため、表示更新を抑えることにより、情報表示装置１の寿命を延ばすことができる。
【００７８】
＜７．その他の情報表示例＞
上述した実施の形態において、情報表示装置１は、ケース部１１内の表示部１４Aに時刻情報を表示し、バンド部１２の表示部１４Bに、時計のバンド模様の模様情報を表示した。
【００７９】
しかしながら、表示部１４は、アクティブマトリクス駆動の薄型ディスプレイ５０を採用しているため、時刻情報及び模様情報以外の情報も所望の領域に表示させることができる。
【００８０】
例えば、腕時計として一般に表示される日付や曜日などの情報を表示させてもよいし、図９に示されるように、現在の気温や天気情報などを表示してもよい。表示部１４に表示させる所定の情報は、通信部１１３を介して、所定のサーバに接続して、取得することができる。
【００８１】
このように、情報表示装置１の表示部１４は、多種多様な情報をユーザに提示することができる。
【００８２】
本技術の実施の形態は、上述した実施の形態に限定されるものではなく、本技術の要旨を逸脱しない範囲において種々の変更が可能である。
【００８３】
例えば、上述した実施の形態の一部を適宜組み合わせた形態を採用することができる。
【００８４】
本技術は、１つの機能をネットワークを介して複数の装置で分担、共同して処理するクラウドコンピューティングの構成をとることができる。
【００８５】
また、上述のフローチャートで説明した各ステップは、１つの装置で実行する他、複数の装置で分担して実行することができる。
【００８６】
さらに、１つのステップに複数の処理が含まれる場合には、その１つのステップに含まれる複数の処理は、１つの装置で実行する他、複数の装置で分担して実行することができる。
【００８７】
なお、本明細書に記載された効果はあくまで例示であって限定されるものではなく、本明細書に記載されたもの以外の効果があってもよい。
【００８８】
なお、本技術は以下のような構成も取ることができる。
（１）
所定の動作モードにおいて時刻情報を表示する時刻情報提示部と、腕に装着するためのバンド部とを有し、
前記時刻情報提示部と前記バンド部の内部に、１枚の薄型ディスプレイを有し、
前記バンド部の内部では、前記薄型ディスプレイ、金属シート、及び、樹脂シートが積層されて配置されている
情報表示装置。
（２）
前記金属シートの材料は、ステンレスである
前記（１）に記載の情報表示装置。
（３）
前記金属シートの厚みは、0.03乃至0.08mmの範囲である
前記（１）または（２）に記載の情報表示装置。
（４）
前記樹脂シートの材料は、ポリエチレンテレフタレートである
前記（１）乃至（３）のいずれかに記載の情報表示装置。
（５）
前記樹脂シートの厚みは、0.05乃至0.20mmの範囲である
前記（１）乃至（４）のいずれかに記載の情報表示装置。
（６）
前記バンド部は、ベース部とカバー部とで構成され、
前記ベース部は、積層された前記薄型ディスプレイ、金属シート、及び、樹脂シートの側面と底面を覆い、
前記カバー部は、前記薄型ディスプレイの表示面である上面を覆い、
積層された前記薄型ディスプレイ、金属シート、及び、樹脂シートの側面を覆う前記ベース部の上面と、前記カバー部の底面が接合されている
前記（１）乃至（５）のいずれかに記載の情報表示装置。
（７）
前記ベース部の材料は、硬度が高いエラストマー素材と、硬度が低いエラストマー素材とを所定の配合比で配合した材料である
前記（１）乃至（６）のいずれかに記載の情報表示装置。
（８）
前記エラストマー素材は、熱可塑性のポリウレタンである
前記（１）乃至（７）のいずれかに記載の情報表示装置。
（９）
前記薄型ディスプレイは、前記バンド部の中立点に配置されている
前記（１）乃至（８）のいずれかに記載の情報表示装置。
（１０）
前記バンド部は、前記時刻情報提示部との接続部分の近傍に、金属の補強板を備える
前記（１）乃至（９）のいずれかに記載の情報表示装置。
（１１）
前記情報表示装置の移動を検出する検出部と、
前記薄型ディスプレイの表示を制御する表示制御部と
を備え、
前記表示制御部は、前記情報表示装置の移動が所定期間以上検出されない場合、前記薄型ディスプレイの表示更新を停止する
前記（１）乃至（１０）のいずれかに記載の情報表示装置。
（１２）
前記薄型ディスプレイは、電子ペーパである
前記（１）乃至（１１）のいずれかに記載の情報表示装置。
（１３）
前記薄型ディスプレイは、有機ELディスプレイである
前記（１）乃至（１１）のいずれかに記載の情報表示装置。
（１４）
前記薄型ディスプレイは、液晶ディスプレイである
前記（１）乃至（１１）のいずれかに記載の情報表示装置。
【符号の説明】
【００８９】
１  情報表示装置，  １１  ケース部，  １２（１２A，１２B）  バンド部，  １３  バックル，  １４（１４A,１４B）  表示部，  ２１  ベース部，  ２２  カバー部，  ５０  薄型ディスプレイ，  ５１  金属シート，  ５２  樹脂シート，  ６１  インク部，  ６２  TFT部，  ８１  補強板，  １１４  加速度センサ，  １１７  コントローラ，  １１８  駆動部
【図１】
2018193879.tif 000003
【図２】
2018193879.tif 000004
【図３】
2018193879.tif 000005
【図４】
2018193879.tif 000006
【図５】
2018193879.tif 000007
【図６】
2018193879.tif 000008
【図７】
2018193879.tif 000009
【図８】
2018193879.tif 000010
【図９】
2018193879.tif 000011
【国際調査報告】
2018193879.tif 000012
2018193879.tif 000013
2018193879.tif 000014